(57)【特許請求の範囲】
【請求項１】
画素毎に設けられた複数の第１電極と、前記複数の第１電極に対向して配置された第２電極と、前記複数の第１電極と前記第２電極との間に配置された電気光学材料と、を備えた表示装置の制御装置であって、
前記画素毎に階調値を指定し、階調数がａ階調の第１画像データを取得する画像取得部と、
前記画素で表示する階調数を決定するパラメーターを取得するパラメーター取得部と、
前記画素で表示する階調数を前記パラメーター取得部で取得したパラメーターに応じて決定し、前記画像取得部で取得された第１画像データを当該決定した階調数に減色した第２画像データを生成する減色部と、
前記減色部で生成された第２画像データが指定する階調値の階調へ前記画素の階調を変更する書き込み部であって、前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込み部と
を有し、
前記パラメーター取得部は、前記パラメーターとして温度を表すデータを取得し、
前記減色部は、前記パラメーター取得部が取得したデータが表す温度に応じて階調数を決定し、前記温度が高くなるにつれて当該階調数を少なくする表示装置の制御装置。
【請求項２】
画素毎に設けられた複数の第１電極と、前記複数の第１電極に対向して配置された第２電極と、前記複数の第１電極と前記第２電極との間に配置された電気光学材料と、を備えた表示装置の制御装置であって、
前記画素毎に階調値を指定し、階調数がａ階調の第１画像データを取得する画像取得部と、
前記画素で表示する階調数を決定するパラメーターを取得するパラメーター取得部と、
前記画素で表示する階調数を前記パラメーター取得部で取得したパラメーターに応じて決定し、前記画像取得部で取得された第１画像データを当該決定した階調数に減色した第２画像データを生成する減色部と、
前記減色部で生成された第２画像データが指定する階調値の階調へ前記画素の階調を変更する書き込み部であって、前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込み部と
を有し、
前記パラメーター取得部は、前記パラメーターとして前記画素で表示する階調数を表すデータを取得し、
前記減色部は、前記画素で表示する階調数を前記パラメーター取得部が取得したデータが表す階調数に決定する表示装置の制御装置。
【請求項３】
画素毎に設けられた複数の第１電極と、前記複数の第１電極に対向して配置された第２電極と、前記複数の第１電極と前記第２電極との間に配置された電気光学材料と、を備えた表示装置の制御装置であって、
前記画素毎に階調値を指定し、階調数がａ階調の第１画像データを取得する画像取得部と、
前記画素で表示する階調数を決定するパラメーターを取得するパラメーター取得部と、
前記画素で表示する階調数を前記パラメーター取得部で取得したパラメーターに応じて決定し、前記画像取得部で取得された第１画像データを当該決定した階調数に減色した第２画像データを生成する減色部と、
前記減色部で生成された第２画像データが指定する階調値の階調へ前記画素の階調を変更する書き込み部であって、前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込み部と
を有し、
前記減色部は、
閾値が配置されたディザマトリクスを有し、
２階調に減色する場合には、前記画素毎に前記第１画像データが指定する階調値と前記ディザマトリクスにおいて当該画素に対応する閾値との比較結果に応じて２階調の前記第２画像データを生成し、
３階調以上のｎ階調に減色する場合には、前記画素毎に前記ディザマトリクスにおいて当該画素に対応する閾値からｎ階調に減色するためのｎ−１個の閾値を生成し、当該ｎ−１個の閾値と前記第１画像データが指定する階調値との比較結果に応じてｎ階調の前記第２画像データを生成する表示装置の制御装置。
【請求項４】
画素毎に設けられた複数の第１電極と、前記複数の第１電極に対向して配置された第２電極と、前記複数の第１電極と前記第２電極との間に配置された電気光学材料と、を備えた表示装置の制御装置であって、
前記画素毎に階調値を指定し、階調数がａ階調の第１画像データを取得する画像取得部と、
前記画素で表示する階調数を決定するパラメーターを取得するパラメーター取得部と、
前記画素で表示する階調数を前記パラメーター取得部で取得したパラメーターに応じて決定し、前記画像取得部で取得された第１画像データを当該決定した階調数に減色した第２画像データを生成する減色部と、
前記減色部で生成された第２画像データが指定する階調値の階調へ前記画素の階調を変更する書き込み部であって、前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込み部と
を有し、
前記電気光学材料は電気泳動粒子を含み、
前記パラメーターは、前記電気泳動粒子の移動のしやすさに対応し、
前記減色部は、前記パラメーター取得部が取得したパラメーターが表す移動のしやすさに応じて階調数を決定し、前記電気泳動粒子が移動しやすくなるにつれて当該階調数を少なくする表示装置の制御装置。
【請求項５】
画素ごとに設けられた複数の第１電極と、前記複数の第１電極に対向して配置された第２電極と、前記複数の第１電極と前記第２電極との間に配置された電気光学材料と、を備えた表示装置の制御方法であって、
前記画素毎に階調値を指定し、階調数がａ階調の第１画像データを取得する画像取得ステップと、
前記画素で表示する階調数を決定するパラメーターを取得するパラメーター取得ステップと、
前記画素で表示する階調数を前記パラメーター取得ステップで取得したパラメーターに応じて決定し、前記画像取得ステップで取得された第１画像データを当該決定した階調数に減色した第２画像データを生成する減色ステップと、
前記減色ステップで生成された第２画像データが指定する階調値の階調へ前記画素の階調を変更するステップであって、前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込みステップと、
を有し、
前記パラメーター取得ステップは、前記パラメーターとして温度を表すデータを取得し、
前記減色ステップは、前記パラメーター取得ステップで取得したデータが表す温度に応じて階調数を決定し、前記温度が高くなるにつれて当該階調数を少なく
する表示装置の制御方法。
【請求項６】
画素ごとに設けられた複数の第１電極と、前記複数の第１電極に対向して配置された第２電極と、前記複数の第１電極と前記第２電極との間に配置された電気光学材料と、を備えた表示装置の制御方法であって、
前記画素毎に階調値を指定し、階調数がａ階調の第１画像データを取得する画像取得ステップと、
前記画素で表示する階調数を決定するパラメーターを取得するパラメーター取得ステップと、
前記画素で表示する階調数を前記パラメーター取得ステップで取得したパラメーターに応じて決定し、前記画像取得ステップで取得された第１画像データを当該決定した階調数に減色した第２画像データを生成する減色ステップと、
前記減色ステップで生成された第２画像データが指定する階調値の階調へ前記画素の階調を変更するステップであって、前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込みステップと、
を有し、
前記パラメーター取得ステップは、前記パラメーターとして前記画素で表示する階調数を表すデータを取得し、
前記減色ステップは、前記画素で表示する階調数を前記パラメーター取得ステップで取得したデータが表す階調数に決定する表示装置の制御方法。
【請求項７】
画素ごとに設けられた複数の第１電極と、前記複数の第１電極に対向して配置された第２電極と、前記複数の第１電極と前記第２電極との間に配置された電気光学材料と、を備えた表示装置の制御方法であって、
前記画素毎に階調値を指定し、階調数がａ階調の第１画像データを取得する画像取得ステップと、
前記画素で表示する階調数を決定するパラメーターを取得するパラメーター取得ステップと、
前記画素で表示する階調数を前記パラメーター取得ステップで取得したパラメーターに応じて決定し、前記画像取得ステップで取得された第１画像データを当該決定した階調数に減色した第２画像データを生成する減色ステップと、
前記減色ステップで生成された第２画像データが指定する階調値の階調へ前記画素の階調を変更するステップであって、前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込みステップと、
を有し、
前記減色ステップは、
２階調に減色する場合には、前記画素毎に前記第１画像データが指定する階調値と、閾値が配置されたディザマトリクスにおいて当該画素に対応する閾値との比較結果に応じて２階調の前記第２画像データを生成し、
３階調以上のｎ階調に減色する場合には、前記画素毎に前記ディザマトリクスにおいて当該画素に対応する閾値からｎ階調に減色するためのｎ−１個の閾値を生成し、当該ｎ−１個の閾値と前記第１画像データが指定する階調値との比較結果に応じてｎ階調の前記第２画像データを生成する表示装置の制御方法。
【請求項８】
画素ごとに設けられた複数の第１電極と、前記複数の第１電極に対向して配置された第２電極と、前記複数の第１電極と前記第２電極との間に配置された電気光学材料と、を備えた表示装置の制御方法であって、
前記画素毎に階調値を指定し、階調数がａ階調の第１画像データを取得する画像取得ステップと、
前記画素で表示する階調数を決定するパラメーターを取得するパラメーター取得ステップと、
前記画素で表示する階調数を前記パラメーター取得ステップで取得したパラメーターに応じて決定し、前記画像取得ステップで取得された第１画像データを当該決定した階調数に減色した第２画像データを生成する減色ステップと、
前記減色ステップで生成された第２画像データが指定する階調値の階調へ前記画素の階調を変更するステップであって、前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込みステップと、
を有し、
前記電気光学材料は電気泳動粒子を含み、
前記パラメーターは、前記電気泳動粒子の移動のしやすさに対応し、
前記減色ステップは、前記パラメーター取得ステップで取得したパラメーターが表す移動のしやすさに応じて階調数を決定し、前記電気泳動粒子が移動しやすくなるにつれて当該階調数を少なくする表示装置の制御方法。
【請求項９】
画素ごとに設けられた複数の第１電極と、前記複数の第１電極に対向して配置された第２電極と、前記複数の第１電極と前記第２電極との間に配置された電気光学材料と、を備えた表示装置であって、
前記画素毎に階調値を指定し、階調数がａ階調の第１画像データを取得する画像取得部と、
前記画素で表示する階調数を決定するパラメーターを取得するパラメーター取得部と、
前記画素で表示する階調数を前記パラメーター取得部で取得したパラメーターに応じて決定し、前記画像取得部で取得された第１画像データを当該決定した階調数に減色した第２画像データを生成する減色部と、
前記減色部で生成された第２画像データが指定する階調値の階調へ前記画素の階調を変更する書き込み部であって、前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込み部と
を有し、
前記パラメーター取得部は、前記パラメーターとして温度を表すデータを取得し、
前記減色部は、前記パラメーター取得部が取得したデータが表す温度に応じて階調数を決定し、前記温度が高くなるにつれて当該階調数を少なくする表示装置。
【請求項１０】
画素ごとに設けられた複数の第１電極と、前記複数の第１電極に対向して配置された第２電極と、前記複数の第１電極と前記第２電極との間に配置された電気光学材料と、を備えた表示装置であって、
前記画素毎に階調値を指定し、階調数がａ階調の第１画像データを取得する画像取得部と、
前記画素で表示する階調数を決定するパラメーターを取得するパラメーター取得部と、
前記画素で表示する階調数を前記パラメーター取得部で取得したパラメーターに応じて決定し、前記画像取得部で取得された第１画像データを当該決定した階調数に減色した第２画像データを生成する減色部と、
前記減色部で生成された第２画像データが指定する階調値の階調へ前記画素の階調を変更する書き込み部であって、前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込み部と
を有し、
前記パラメーター取得部は、前記パラメーターとして前記画素で表示する階調数を表すデータを取得し、
前記減色部は、前記画素で表示する階調数を前記パラメーター取得部が取得したデータが表す階調数に決定する表示装置。
【請求項１１】
画素ごとに設けられた複数の第１電極と、前記複数の第１電極に対向して配置された第２電極と、前記複数の第１電極と前記第２電極との間に配置された電気光学材料と、を備えた表示装置であって、
前記画素毎に階調値を指定し、階調数がａ階調の第１画像データを取得する画像取得部と、
前記画素で表示する階調数を決定するパラメーターを取得するパラメーター取得部と、
前記画素で表示する階調数を前記パラメーター取得部で取得したパラメーターに応じて決定し、前記画像取得部で取得された第１画像データを当該決定した階調数に減色した第２画像データを生成する減色部と、
前記減色部で生成された第２画像データが指定する階調値の階調へ前記画素の階調を変更する書き込み部であって、前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込み部と
を有し、
前記減色部は、
閾値が配置されたディザマトリクスを有し、
２階調に減色する場合には、前記画素毎に前記第１画像データが指定する階調値と前記ディザマトリクスにおいて当該画素に対応する閾値との比較結果に応じて２階調の前記第２画像データを生成し、
３階調以上のｎ階調に減色する場合には、前記画素毎に前記ディザマトリクスにおいて当該画素に対応する閾値からｎ階調に減色するためのｎ−１個の閾値を生成し、当該ｎ−１個の閾値と前記第１画像データが指定する階調値との比較結果に応じてｎ階調の前記第２画像データを生成する表示装置。
【請求項１２】
画素ごとに設けられた複数の第１電極と、前記複数の第１電極に対向して配置された第２電極と、前記複数の第１電極と前記第２電極との間に配置された電気光学材料と、を備えた表示装置であって、
前記画素毎に階調値を指定し、階調数がａ階調の第１画像データを取得する画像取得部と、
前記画素で表示する階調数を決定するパラメーターを取得するパラメーター取得部と、
前記画素で表示する階調数を前記パラメーター取得部で取得したパラメーターに応じて決定し、前記画像取得部で取得された第１画像データを当該決定した階調数に減色した第２画像データを生成する減色部と、
前記減色部で生成された第２画像データが指定する階調値の階調へ前記画素の階調を変更する書き込み部であって、前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込み部と
を有し、
前記電気光学材料は電気泳動粒子を含み、
前記パラメーターは、前記電気泳動粒子の移動のしやすさに対応し、
前記減色部は、前記パラメーター取得部が取得したパラメーターが表す移動のしやすさに応じて階調数を決定し、前記電気泳動粒子が移動しやすくなるにつれて当該階調数を少なくする表示装置。
【請求項１３】
請求項９から請求項１２のいずれか一項に記載の表示装置を備える電子機器。
【発明の詳細な説明】
【技術分野】
【０００１】
本発明は、表示装置の制御装置、表示装置の制御方法、表示装置及び電子機器に関する。
【背景技術】
【０００２】
特許文献１の電気光学装置は、電気泳動粒子を利用したものであり、分散媒中の電気泳動粒子に電界を作用させることにより、着色された電気泳動粒子を移動させて画像を表示する。分散媒と電気泳動粒子を用いた電気光学装置においては、温度によって分散媒の粘性が変化するため、同じ電界を作用させても温度によっては所望の階調を得られない場合があるという特性がある。このため、この電気光学装置は、同じ階調を表示する場合であっても温度に応じて作用させる電界を変更することにより電気泳動粒子の移動量を制御し、温度が変化しても所望の階調が表示されるようにしている。
【先行技術文献】
【特許文献】
【０００３】
【特許文献１】特開２００４−８５６０６号公報
【発明の概要】
【発明が解決しようとする課題】
【０００４】
特許文献１の電気光学装置においては、温度に応じて駆動電圧を制御して階調を制御するものの、温度が高い状態では分散媒の粘度が低くなり、駆動電圧の小さな変化でも電気泳動粒子が大きく移動する。このため、温度が高い状態で階調の制御をするには、駆動電圧を精度よく連続的に制御できる回路が必要となる。また、階調を表すのに適切な駆動電圧は、温度に応じて変化するため、低温になるほど大きな電圧を印加する必要があり、温度に応じて低い電圧から高い電圧まで連続的に駆動電圧を制御できる回路が必要となる。
【０００５】
本発明は、上述した事情に鑑みてなされたものであり、その目的の一つは、画素へ印加する電圧の種類を少なくし、装置の特性に対応した階調表示ができるようにすることにある。
【課題を解決するための手段】
【０００６】
上記目的を達成するために、本発明に係る表示装置の制御装置は、画素毎に設けられた複数の第１電極と、前記複数の第１電極に対向して配置された第２電極と、前記複数の第１電極と前記第２電極との間に配置された電気光学材料と、を備えた表示装置の制御装置であって、前記画素毎に階調値を指定し、階調数がａ階調の第１画像データを取得する画像取得部と、前記画素で表示する階調数を決定するパラメーターを取得するパラメーター取得部と、前記画素で表示する階調数を前記パラメーター取得部で取得したパラメーターに応じて決定し、前記画像取得部で取得された第１画像データを当該決定した階調数に減色した第２画像データを生成する減色部と、前記減色部で生成された第２画像データが指定する階調値の階調へ前記画素の階調を変更する書き込み部であって、前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込み部とを有する。
この構成によれば、画素で表示する階調数は、取得したパラメーターに応じて決定されて装置の特性に対応したものとなり、画素の階調を指定する第１画像データは、決定した階調数に減色されて第２画像データが生成される。また、第２画像データが指定する階調値となるように第１電圧又は第２電圧が画素に複数回印加されて画素の階調が変更される。装置の特性に合わせて減色された画像が、第１電圧又は第２電圧の印加によって表示されるので、２種類の少ない電圧で装置の特性に対応した階調表示がなされる。
【０００７】
前記制御装置においては、前記パラメーター取得部は、前記パラメーターとして温度を表すデータを取得し、前記減色部は、前記パラメーター取得部が取得したデータが表す温度に応じて階調数を決定し、前記温度が高くなるにつれて当該階調数を少なくする構成としてもよい。
この構成によれば、表示装置の画素の階調表示の特性が温度によって変化する場合に、画素で表示する階調数は取得したパラメーターが表す温度に応じて決定されるため、装置の特性に対応した階調表示をすることができる。
【０００８】
前記制御装置においては、前記パラメーター取得部は、前記パラメーターとして前記画素で表示する階調数を表すデータを取得し、前記減色部は、前記画素で表示する階調数を前記パラメーター取得部が取得したデータが表す階調数に決定する構成としてもよい。
この構成によれば、画素で表示する階調数は、パラメーターで指定される階調数に決定されるため、装置の特性に対応した階調表示をすることができる。
【０００９】
前記制御装置においては、前記減色部は、閾値が配置されたディザマトリクスを有し、２階調に減色する場合には、前記画素毎に前記第１画像データが指定する階調値と前記ディザマトリクスにおいて当該画素に対応する閾値との比較結果に応じて２階調の前記第２画像データを生成し、３階調以上のｎ階調に減色する場合には、前記画素毎に前記ディザマトリクスにおいて当該画素に対応する閾値からｎ階調に減色するためのｎ−１個の閾値を生成し、当該ｎ−１個の閾値と前記第１画像データが指定する階調値との比較結果に応じてｎ階調の前記第２画像データを生成する構成としてもよい。
この構成によれば、一つのディザマトリクスから複数の閾値を生成するため、装置の特性に応じて減色後の階調数を変更することができる。
前記制御装置においては、前記電気光学材料は電気泳動粒子を含み、前記パラメーターは、前記電気泳動粒子の移動のしやすさに対応し、前記減色部は、前記パラメーター取得部が取得したパラメーターが表す移動のしやすさに応じて階調数を決定し、前記電気泳動粒子が移動しやすくなるにつれて当該階調数を少なくする構成としてもよい。
【００１０】
また、上記目的を達成するために本発明に係る表示装置は、画素ごとに設けられた複数の第１電極と、前記複数の第１電極に対向して配置された第２電極と、前記複数の第１電極と前記第２電極との間に配置された電気光学材料と、を備えた表示装置であって、前記画素毎に階調値を指定し、階調数がａ階調の第１画像データを取得する画像取得部と、前記画素で表示する階調数を決定するパラメーターを取得するパラメーター取得部と、前記画素で表示する階調数を前記パラメーター取得部で取得したパラメーターに応じて決定し、前記画像取得部で取得された第１画像データを当該決定した階調数に減色した第２画像データを生成する減色部と、前記減色部で生成された第２画像データが指定する階調値の階調へ前記画素の階調を変更する書き込み部であって、前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込み部とを有する。
この構成によれば、画素で表示する階調数は、取得したパラメーターに応じて決定されて装置の特性に対応したものとなり、画素の階調を指定する第１画像データは、決定した階調数に減色されて第２画像データが生成される。また、第２画像データが指定する階調値となるように第１電圧又は第２電圧が画素に複数回印加されて画素の階調が変更される。装置の特性に合わせて減色された画像が、第１電圧又は第２電圧の印加によって表示されるので、２種類の少ない電圧で装置の特性に対応した階調表示がなされる。
【００１１】
なお、本発明は、表示装置の制御装置及び表示装置のみならず、表示装置の制御方法、当該表示装置を有する電子機器としても概念することが可能である。
【図面の簡単な説明】
【００１２】
【図１】第１実施形態の表示装置１０００と電気光学装置１のハードウェア構成を示した図。
【図２】表示領域１００の断面を示した図。
【図３】画素１１０の等価回路を示した図。
【図４】コントローラー５で実現する機能の構成を示したブロック図。
【図５】階調を変化させるのに要する電圧印加回数を示した図。
【図６】コントローラー５が行う処理の流れを示したフローチャート。
【図７】第１ディザマトリクスの一例を示した図。
【図８】電子ブックリーダー２０００の外観図。
【発明を実施するための形態】
【００１３】
［実施形態］
（実施形態の構成）
図１は、本発明の一実施形態に係る表示装置１０００のハードウェア構成を示したブロック図である。表示装置１０００は、画像を表示する装置であり、電気泳動方式の電気光学装置１、制御部２、ＶＲＡＭ（Video Random Access Memory）３及び記憶部の一例であるＲＡＭ４を備えている。また、電気光学装置１は、表示部１０とコントローラー５を備えている。
【００１４】
制御部２は、ＣＰＵ（Central Processing Unit）、ＲＯＭ（Read Only Memory）、ＲＡＭ等を備えたマイクロコンピュータであり、表示装置１０００の各部を制御する。また、制御部２は、ＶＲＡＭ３にアクセスし、表示領域１００に表示させる画像を示す画像データをＶＲＡＭ３に書き込む。
コントローラー５は、表示部１０の表示領域１００に画像を表示させるための各種信号を表示部１０の走査線駆動回路１３０とデータ線駆動回路１４０に供給するものである。コントローラー５は、電気光学装置１の制御装置に相当する。なお、制御部２とコントローラー５を合わせた部分を電気光学装置１の制御装置と定義することもできる。あるいは、制御部２、コントローラー５、ＶＲＡＭ３およびＲＡＭ４の全体を、電気光学装置１の制御装置と定義することもできる。
【００１５】
ＶＲＡＭ３は、制御部２により書き込まれた画像データを記憶するメモリーである。ＶＲＡＭ３は、後述するｍ行×ｎ列で配列された画素１１０毎に記憶領域（バッファー）を有している。画像データは、各画素１１０の階調を表すデータを含んでおり、一の画素１１０の階調を表すデータは、ＶＲＡＭ３において当該画素１１０に対応した一の記憶領域に記憶される。ＶＲＡＭ３に書き込まれたデータは、コントローラー５により読み出される。なお、本実施形態においては、画像データは０から２５５までの整数のいずれかの値をとるものである。この値は、０が黒、２５５が白を表し、値が大きくなるにつれて黒から白へと階調が変化する。
温度センサー６は、温度を検知するセンサーである。温度センサー６は、検知した温度を表す信号を出力する。なお、温度センサー６は、表示領域１００の近傍に配置される。
ＲＡＭ４は、表示領域１００に画像を表示させるために用いられる各種データを記憶する。ＲＡＭ４は、画像記憶領域Ａ、加工画像記憶領域Ｂ、及び前画像記憶領域Ｃを有する。各記憶領域は、ｍ行×ｎ列の画素１１０の各々に対応した記憶領域を備えている。画像記憶領域Ａは、ＶＲＡＭ３から読み出された画像データを記憶する領域である。加工画像記憶領域Ｂは、画像記憶領域Ａに記憶された画像データを加工した加工済み画像データを記憶する領域である。前画像記憶領域Ｃは、ＶＲＡＭ３の内容が書き換えられたことを検知したときに加工画像記憶領域Ｂに記憶されている画像データが記憶される領域である。
【００１６】
表示領域１００では、複数の走査線１１２が図において行（Ｘ）方向に沿って設けられ、複数のデータ線１１４が、列（Ｙ）方向に沿って、かつ、各走査線１１２と互いに電気的に絶縁を保つように設けられている。そして、画素１１０が各走査線１１２と各データ線１１４との交差に対応して、それぞれ設けられている。便宜的に走査線１１２の行数を「ｍ」とし、データ線１１４の列数を「ｎ」としたとき、画素１１０は、縦ｍ行×横ｎ列でマトリクス状に配列して表示領域１００を構成することになる。
【００１７】
図２は、表示領域１００の断面を示した図である。表示領域１００は、図２に示したように大別して第１基板１０１、電気泳動層１０２および第２基板１０３によって構成されている。第１基板１０１は、絶縁性及び可撓性を有する基板１０１ａ上に回路の層が形成された基板である。基板１０１ａは、本実施形態においてはポリカーボネートで形成されている。なお、基板１０１ａとしては、ポリカーボネートに限定されることなく、軽量性、可撓性、弾性及び絶縁性を有する樹脂材料を用いることができる。また、基板１０１ａは、可撓性を持たないガラスで形成されていてもよい。基板１０１ａの表面には、接着層１０１ｂが設けられ、接着層１０１ｂの表面には回路層１０１ｃが積層されている。
回路層１０１ｃは、行方向に配列された複数の走査線１１２と、列方向に配列された複数のデータ線１１４を有している。また、回路層１０１ｃは、走査線１１２とデータ線１１４との交差のそれぞれに対応して、画素電極１０１ｄ（第１電極）を有している。
【００１８】
電気光学材料の一例である電気泳動層１０２は、バインダー１０２ｂと、バインダー１０２ｂによって固定された複数のマイクロカプセル１０２ａで構成されており、画素電極１０１ｄ上に形成されている。なお、マイクロカプセル１０２ａと画素電極１０１ｄとの間には、接着剤により形成された接着層を設けてもよい。
【００１９】
バインダー１０２ｂとしては、マイクロカプセル１０２ａとの親和性が良好で電極との密着性が優れ、且つ絶縁性を有するものであれば特に制限はない。マイクロカプセル１０２ａ内には、分散媒と電気泳動粒子が格納されている。マイクロカプセル１０２ａを構成する材料としては、アラビアゴム・ゼラチン系の化合物やウレタン系の化合物等の柔軟性を有するものを用いるのが好ましい。
【００２０】
分散媒としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などのいずれかを用いることができ、また、分散媒は、その他の油類であってもよい。また、これらの物質は単独又は混合して分散媒に用いることができ、さらに界面活性剤などを配合して分散媒としてもよい。
【００２１】
電気泳動粒子は、分散媒中で電界によって移動する性質を有する粒子（高分子あるいはコロイド）である。本実施形態においては白の電気泳動粒子と黒の電気泳動粒子がマイクロカプセル１０２ａ内に格納されている。黒の電気泳動粒子は、例えば、アニリンブラックやカーボンブラック等の黒色顔料からなる粒子であり、本実施形態では正に帯電されている。白の電気泳動粒子は、例えば、二酸化チタンや酸化アルミニウム等の白色顔料からなる粒子であり、本実施形態では負に帯電されている。
【００２２】
第２基板１０３は、フィルム１０３ａと、フィルム１０３ａの下面に形成された透明な共通電極層１０３ｂ（第２電極）で構成されている。フィルム１０３ａは、電気泳動層１０２の封止及び保護の役割を担うものであり、例えばポリエチレンテレフタレートのフィルムである。フィルム１０３ａは、透明で絶縁性を有している。共通電極層１０３ｂは、例えば、酸化インジウム膜（ＩＴＯ膜）などの透明な導電膜で構成されている。
【００２３】
図３は、画素１１０の等価回路を示した図である。なお、本実施形態では、各走査線１１２を区別するために、図１に示した走査線１１２を上から順に１、２、３、・・・、（ｍ−１）、ｍ行目という呼び方をする場合がある。また同様に、各データ線１１４を区別するために、図１に示したデータ線１１４を左から順に１、２、３、・・・、（ｎ−１）、ｎ列目という呼び方をする場合がある。
図３においては、ｉ行目の走査線１１２とｊ列目のデータ線１１４との交差に対応した画素１１０の等価回路を示している。他のデータ線１１４と走査線１１２との交差に対応した画素１１０も構成は図に示した構成と同じであるため、ここでは、代表してｉ行目のデータ線１１４とｊ列目の走査線１１２との交差に対応した画素１１０の等価回路について説明し、他の画素１１０の等価回路については説明を省略する。
【００２４】
図３に示したように、各画素１１０は、ｎチャネル型の薄膜トランジスター（thin film transistor：以下単に「ＴＦＴ」と略称する）１１０ａと、表示素子１１０ｂと、補助容量１１０ｃとを有する。画素１１０において、ＴＦＴ１１０ａのゲート電極はｉ行目の走査線１１２に接続される一方、そのソース電極はｊ列目のデータ線１１４に接続され、そのドレイン電極は、表示素子１１０ｂの一端である画素電極１０１ｄと補助容量１１０ｃの一端とにそれぞれ接続されている。補助容量１１０ｃは、回路層１０１ｃに形成された一対の電極によって誘電体層を挟持した構成である。補助容量１１０ｃの他端の電極は、各画素にわたって共通の電圧にされている。画素電極１０１ｄは、共通電極層１０３ｂと対向し、画素電極１０１ｄと共通電極層１０３ｂとの間にはマイクロカプセル１０２ａを含む電気泳動層１０２が挟まれている。このため、表示素子１１０ｂは、等価回路でみたときに、画素電極１０１ｄと共通電極層１０３ｂとで、電気泳動層１０２を挟持した容量になる。そして、表示素子１１０ｂは、両電極間の電圧を保持（記憶）するとともに、この保持した電圧によって生じる電界方向にしたがって表示を行うことになる。なお、本実施形態においては、図示省略した外部回路によって、各画素１１０の補助容量１１０ｃの他端の電極と、共通電極層１０３ｂの電圧は、共通の電圧Ｖｃｏｍが印加される。
【００２５】
図１に戻り、走査線駆動回路１３０は、表示領域１００の各走査線１１２と接続されている。走査線駆動回路１３０は、コントローラー５による制御にしたがって、走査線１１２を１、２、・・・、ｍ行目という順番で選択し、選択した走査線１１２に対してハイ（Ｈｉｇｈ）レベルの信号を供給し、選択されていない他の走査線１１２に対しロー（Ｌｏｗ）レベルの信号を供給するものである。
データ線駆動回路１４０は、表示領域の各データ線１１４と接続されており、選択された走査線１１２に接続されている画素１１０の１行分の表示内容に応じて各列のデータ線１１４にデータ信号をそれぞれ供給するものである。
【００２６】
走査線駆動回路１３０が１行目の走査線１１２を選択してからｍ行目の走査線１１２の選択が終了するまでの期間（以下、「フレーム期間」又は単に「フレーム」と称する）において各走査線１１２は一回づつ選択され、各画素１１０には１フレームに一回づつデータ信号が供給される。
走査線１１２がハイレベルとなると、当該走査線１１２にゲートが接続されたＴＦＴ１１０ａがオン状態になり、画素電極１０１ｄがデータ線１１４に接続される。走査線１１２がハイレベルであるときにデータ線１１４にデータ信号を供給すると、当該データ信号は、オン状態になったＴＦＴ１１０ａを介して画素電極１０１ｄに印加される。走査線１１２がローレベルになると、ＴＦＴ１１０ａはオフ状態になるが、データ信号によって画素電極１０１ｄに印加された電圧は、補助容量１１０ｃに蓄積され、画素電極１０１ｄの電位及び共通電極層１０３ｂの電位との電位差（電圧）に応じて電気泳動粒子が移動する。
【００２７】
例えば、共通電極層１０３ｂの電圧Ｖｃｏｍに対して画素電極１０１ｄの電圧が＋１５Ｖ（第２電圧）である場合、負に帯電している白の電気泳動粒子が画素電極１０１ｄ側に移動し、正に帯電している黒の電気泳動粒子が共通電極層１０３ｂ側に移動して画素１１０は黒の表示となる。また、共通電極層１０３ｂの電圧Ｖｃｏｍに対して画素電極１０１ｄの電圧が−１５Ｖ（第１電圧）である場合、正に帯電している黒の電気泳動粒子が画素電極１０１ｄ側に移動し、負に帯電している白の電気泳動粒子が共通電極層１０３ｂ側に移動して画素１１０は白の表示となる。なお、画素電極１０１ｄの電圧は、上述した電圧に限定されるものではなく、共通電極層１０３ｂの電圧Ｖｃｏｍに対してプラス（正極）の電圧またはマイナス（負極）の電圧であれば、上述した＋１５Ｖや−１５Ｖ以外の電圧であってもよい。
【００２８】
本実施形態においては、各画素１１０の表示状態を第１階調である白（低階調）から第２階調である黒（高階調）又は黒から白へ変化させる際には、１フレームだけ画素１１０へデータ信号を供給して表示状態を変化させるのではなく、複数フレームに渡って画素１１０へデータ信号を供給する書き込み動作により表示状態を変化させる。これは、表示状態を白から黒へ変化させるに際し、１フレームだけ電気泳動粒子に電位差を与えても黒の電気泳動粒子が完全には表示側に移動しきらず、表示状態が完全な黒とはならないためである。このことは、表示状態を黒から白へ変化させる場合の白の電気泳動粒子についても同様である。よって、例えば、画素１１０の表示状態を白から黒へ変化させる場合、画素１１０に黒を表示させるためのデータ信号が複数フレームに渡って画素１１０へ供給され、画素１１０の表示状態を黒から白へ変化させる場合には、画素に白を表示させるためのデータ信号が複数フレームに渡って画素１１０へ供給される。本明細書において「書き込み動作」とは、画素の表示状態を所望の階調表示状態とするために行われる画素へのデータ信号の供給シーケンス、又はこれに基づいて行われる共通電極層１０３ｂ、画素電極１０１ｄ間への電圧印加シーケンスを言う。
【００２９】
また本実施形態においては、１フレーム内である画素１１０の画素電極１０１ｄを共通電極層１０３ｂに対して電位が高くなる正極とし、同じフレーム内で他の画素１１０の画素電極１０１ｄを共通電極層１０３ｂに対して電位が低くなる負極とすることができる。つまり、１フレーム内で共通電極層１０３ｂに対して正極と負極の両方の極を選択できる駆動（以下、両極駆動という）となっている。より詳しくは、１フレーム内において、階調を高階調側（第２階調側）に変更する画素１１０の画素電極１０１ｄは正極とし、階調を低階調側（第１階調側）に変更する画素１１０の画素電極１０１ｄは負極とする。なお、黒の電気泳動粒子が負に帯電し、白の電気泳動粒子が正に帯電している場合には、階調を高階調側（第２階調側）に変更する画素１１０の画素電極１０１ｄは負極とし、階調を低階調側（第１階調側）に変更する画素１１０の画素電極１０１ｄは正極とすればよい。
【００３０】
次にコントローラー５の構成について説明する。図４は、本実施形態のコントローラー５において実現する機能を示したブロック図である。コントローラー５においては、画像取得部５０１、パラメーター取得部５０２、減色部５０３、及び書き込み部５０４が実現する。なお、コントローラー５において実現するブロックは、ハードウェアにより実現されてもよく、コントローラー５にＣＰＵを設け、このＣＰＵでプログラムを実行することにより実現されるようにしてもよい。
【００３１】
画像取得部５０１は、ＶＲＡＭ３に記憶されている画像データ（第１画像データ）を取得し、取得した画像データをＲＡＭ４の画像記憶領域Ａに記憶させるブロックである。また、画像取得部５０１は、ＶＲＡＭ３に記憶されている画像データをＲＡＭ４の画像記憶領域Ａに記憶させた後、加工画像記憶領域Ｂに記憶されている画像データを前画像記憶領域Ｃに記憶させる。
パラメーター取得部５０２は、画素１１０で表示する階調数を決定するパラメーターを取得するブロックである。本実施形態においては、温度センサー６から出力された信号をパラメーターとして取得する。
【００３２】
減色部５０３は、画像記憶領域Ａに記憶された画像データに減色処理を施すブロックである。減色部５０３は、パラメーター取得部５０２が取得した信号に基づいて、温度センサー６が検知した温度を特定する。そして減色部５０３は、特定した温度に応じて、画素１１０が表示する階調数を決定し、決定した階調数となるように画像データに減色処理を施す。減色処理が施された画像データは、加工画像記憶領域Ｂに記憶される。
本実施形態においては、減色部５０３は、パラメーター取得部５０２が特定した温度が３０℃以上である場合には、画像データで表すことができる階調を黒と白の２階調とし、パラメーター取得部５０２が特定した温度が３０℃未満である場合には、画像データで表すことができる階調を黒、ダークグレー、ライトグレー、白の４階調とする。減色処理がされた後の画像データにおいては、画素の階調を表す値は、０〜３のいずれかの値となり、階調値が小さいほど高濃度とし、０が黒、１がダークグレー、２がライトグレー、３が白を表す。
【００３３】
書き込み部５０４は、走査線駆動回路１３０とデータ線駆動回路１４０を制御し、加工画像記憶領域Ｂと、前画像記憶領域Ｃに記憶された画像データに基づいて、各画素１１０の画素電極１０１ｄに前述の第１電圧又は第２電圧を印加するものである。コントローラー５は、図５に示したテーブルを記憶している。図５に示したテーブルには、ＶＲＡＭ３の内容が書き換えられたことにより画素１１０の階調を変更するときの画素への電圧印加回数が格納されている。
【００３４】
コントローラー５は、前画像記憶領域Ｃから変更前の階調値を取得し、加工画像記憶領域Ｂから変更後の階調値を取得する。図５によると、本実施形態においては、例えば、変更前の階調値が０（黒）であり、変更後の階調値が３（白）である場合、共通電極層１０３ｂの電圧Ｖｃｏｍに対して−１５Ｖの電圧を画素電極１０１ｄに６回印加すると、画素が黒の状態から白の状態に変化する。また、変更前の階調値が０（黒）であり、変更後の階調値が２（ライトグレー）である場合、電圧Ｖｃｏｍに対して−１５Ｖの電圧を画素電極１０１ｄに４回印加すると階調値が２の状態になり、変更前の階調値が０（黒）であり、変更後の階調値が１（ダークグレー）である場合、電圧Ｖｃｏｍに対して−１５Ｖの電圧を画素電極１０１ｄに２回印加すると階調値が１の状態になる。また、変更前の階調値が３（白）であり、変更後の階調値が０（黒）である場合、電圧Ｖｃｏｍに対して＋１５Ｖの電圧を画素電極１０１ｄに６回印加すると、画素が白の状態から黒の状態に変化する。
【００３５】
図５のテーブルに従って画素電極１０１ｄに電圧を印加すれば、画素の階調を変更することができる。但し、温度が高い状態になると分散媒の粘度が低くなり、電気泳動粒子が移動しやすくなるため、同じ回数で電圧を印加しても、ダークグレーやライトグレーの階調にバラつきが生じる場合が生じ得る。そこで本実施形態においては、温度が高く階調の細かな制御が難しい状態においては、表示する階調数を少なくし、温度が低く階調の細かな制御が容易な状態においては、表示する階調数を多くすることにより、表示された階調がバラつくのを抑えるようにしている。以下、その動作について説明する。
【００３６】
図６は、コントローラー５が行う処理の流れを示したフローチャートである。コントローラー５は、ＶＲＡＭ３への画像データの書き込みを監視する。コントローラー５（画像取得部５０１）は、ＶＲＡＭ３の内容に変更があった場合には、ＶＲＡＭ３に記憶されている画像データを取得し（ステップＳＡ１（画像取得ステップ））、取得した画像データを画像記憶領域Ａに記憶させる（ステップＳＡ２）。ここで、各画素の階調値は、ｍ行×ｎ列の画素１１０の各々に対応してマトリクス状に記憶される。また、コントローラー５は、加工画像記憶領域Ｂに記憶されている画像データを前画像記憶領域Ｃに記憶させる（ステップＳＡ３）。ステップＳＡ３により、この時点で表示されている画像の画像データが前画像記憶領域Ｃに記憶されることになる。
【００３７】
次にコントローラー５（パラメーター取得部５０２）は、温度センサー６から出力されている信号を取得する（パラメーター取得ステップ）。そしてコントローラー５（減色部５０３）は、取得した信号に基づいて、温度センサー６で検知された温度を特定する（ステップＳＡ４）。温度を特定したコントローラー５（減色部５０３）は、画像記憶領域Ａに記憶された画像データに対して、特定した温度に対応した減色処理を施す（ステップＳＡ５（減色ステップ））。
【００３８】
ここで本実施形態に係る減色処理の一例について説明する。コントローラー５は、４行４列の第１ディザマトリクス（図７参照）を記憶しており、この第１ディザマトリクスには、画像記憶領域Ａに記憶される画像データを２値化するための閾値が格納されている。なお、この閾値は０から２５５の値のいずれかの値である。
コントローラー５は、ステップＳＡ４で特定した温度が３０℃以上である場合、第１ディザマトリクスを画像記憶領域Ａにおいてマトリクス状に記憶された画像データに重ねあわせる。コントローラー５は、画像記憶領域Ａに記憶されている各画素の階調値と、この階調値に対して重ね合わされた第１ディザマトリクスの値とを加算する。そして、コントローラー５は、加算結果が２５６未満である場合には、加算結果が２５６未満となった画素の階調値を０（黒）に変更し、加算結果が２５６以上となった画素の階調値を３（白）に変更し、変更後の階調値を加工画像記憶領域Ｂに記憶させる。これにより、加工画像記憶領域Ｂに記憶された画像データは、黒と白の二階調の画像となる。
【００３９】
一方、コントローラー５は、ステップＳＡ３で特定した温度が３０℃未満である場合、第１ディザマトリクスの各値を３で割った第２ディザマトリクスを作成する。次にコントローラー５は、第２ディザマトリクスを画像記憶領域Ａにおいてマトリクス状に記憶された画像データに重ねあわせ、画像記憶領域Ａに記憶されている各画素の階調値と、この階調値に対して重ね合わされた第２ディザマトリクスの値＋１７０との加算結果が２５６未満である場合には、画素の階調値を０（黒）に変更し、変更後の階調値を加工画像記憶領域Ｂに記憶させる。
また、上記の加算結果が２５６以上の場合には、コントローラー５は、画像記憶領域Ａに記憶されている各画素の階調値と、この階調値に対して重ね合わされた第２ディザマトリクスの値＋６５との加算結果が２５６未満である場合、画素の階調値を１（ダークグレー）に変更し、変更後の階調値を加工画像記憶領域Ｂに記憶させる。
【００４０】
また、画素の階調値と第２ディザマトリクスの値＋６５の加算結果が２５６以上の場合には、コントローラー５は、画像記憶領域Ａに記憶されている各画素の階調値と、この階調値に対して重ね合わされた第２ディザマトリクスの値とを加算し、加算結果が２５６未満である場合には画素の階調値を２（ライトグレー）に変更し、加算結果が２５６以上である場合には画素の階調値を３（白）に変更し、変更後の階調値を加工画像記憶領域Ｂに記憶させる。これにより、加工画像記憶領域Ｂに記憶された画像データは、黒、ダークグレー、ライトグレー及び白の四階調の画像となる。
【００４１】
コントローラー５（書き込み部５０４）は、減色処理が終了すると、加工画像記憶領域Ｂに記憶された画像データと、前画像記憶領域Ｃに記憶された画像データを用いて、書き込み動作の処理を行う（ステップＳＡ６（書き込みステップ））。
具体的には、コントローラー５は、画素毎に、加工画像記憶領域Ｂに記憶されている階調値と、前画像記憶領域Ｃに記憶されている階調値とを取得する。コントローラー５は、加工画像記憶領域Ｂから取得した階調値を変更後の階調値とし、前画像記憶領域Ｃから取得した階調値を変更前の階調値とし、図５のテーブルを参照して画素毎に電圧の印加回数を決定する。コントローラー５は、電圧の印加回数を決定すると、加工画像記憶領域Ｂに記憶されている階調値と、前画像記憶領域Ｃに記憶されている階調値とから、画素の階調を白の方向に変更するのか黒の方向に変更するのか特定する。コントローラー５は、階調を白の方向に変更する場合には、決定した印加回数で電圧Ｖｃｏｍに対して−１５Ｖの電圧を画素電極１０１ｄに印加し、階調を黒の方向に変更する場合には、決定した印加回数で電圧Ｖｃｏｍに対して＋１５Ｖの電圧を画素電極１０１ｄに印加する。
【００４２】
本実施形態によれば、画素電極に印加する電圧は、電圧Ｖｃｏｍに対して、＋１５V、−１５Ｖ、又は０Ｖのいずれかとなり、これらの電圧の印加回数を制御することにより、画素へ印加する電圧を連続的に制御しなくとも、画素の階調を変更することができる。
また、温度が高く電気泳動粒子が移動しやすい状態にあっては、表示する階調数を抑えるため、温度状況が変化しても表示する画素の階調にバラつきが少なく、状況に応じた階調表示をすることができる。
【００４３】
［電子機器］
次に、上述した実施形態に係る表示装置１０００を適用した電子機器の例について説明する。図８は、上述した実施形態に係る表示装置１０００を用いた電子ブックリーダーの外観を示した図である。電子ブックリーダー２０００は、板状のフレーム２００１と、ボタン９Ａ〜９Ｆと、上述した実施形態に係る電気光学装置１、制御部２、ＶＲＡＭ３、及びＲＡＭ４を備えている。電子ブックリーダー２０００においては表示領域１００が露出している。電子ブックリーダー２０００においては、電子書籍の内容が表示領域１００に表示され、ボタン９Ａ〜９Ｆを操作することにより電子書籍のページがめくられる。なお、このほかにも、上述した実施形態に係る電気光学装置１が適用可能な電子機器としては、時計や、電子ペーパー、電子手帳、電卓、携帯電話機等などが挙げられる。
【００４４】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００４５】
上述した実施形態においては、電気光学装置として電気泳動層１０２を有するものを例に説明したが、これに限定する趣旨ではない。電気光学装置は、画素の表示状態を第１表示状態から第２表示状態へ変化させるための書き込みが、電圧を複数回印加する書き込み動作によって行われるものであればどのようなものであってもよく、例えば電気光学材料として電子粉流体を用いた電気光学装置であってもよい。
【００４６】
上述した実施形態においては、減色処理後の階調数は、２階調又は４階調となるが、減色処理後の階調数は、この階調数に限定されるものではない。例えば、温度センサー６を用いて特定した温度が、２０℃未満では１６階調、２０℃以上２５℃未満では８階調、２５℃以上３０℃未満では４階調、３０℃以上３５℃未満では３階調、３５℃以上で２階調としてもよい。
【００４７】
上述した実施形態においては、画素が表示する階調数を温度に基づいて変更しているが、画素が表示する階調数は温度以外のパラメーターに応じて階調数を変更してもよい。例えば、電子ブックリーダー２０００においては、ユーザーは、画素が表示する階調数をボタン９Ａ〜９Ｆを操作することにより指定し、コントローラー５（パラメーター取得部５０２）は、ユーザーにより指定された階調数を表すデータ（パラメーター）を取得し、取得したデータの階調数となるように減色処理を行うようにしてもよい。
また、マイクロカプセル１０２ａを構成する分散媒や電気泳動粒子を調整することにより、表示に適した階調数を調整することができ、２階調の表示に適した画素を備える電気光学装置１と、３階調以上の表示に適した画素を備える電気光学装置１を構成することができる。この場合、コントローラー５（パラメーター取得部５０２）は、画素がいずれの階調数の表示に適した画素であるのかを表すデータ（パラメーター）を例えば制御部２から取得し、取得したデータが表す階調数となるように、画像記憶領域Ａに記憶された画像データに対して減色処理を行うようにしてもよい。
【００４８】
上述した実施形態においては、第１ディザマトリクスを記憶し、減色処理を行うときに使用する閾値を第１ディザマトリクスから生成しているが、減色後の各階調について０から２５５までの間で閾値を設定して階調毎にディザマトリクスを設けるようにしてもよい。また、上述した実施形態においては、減色処理としてディザマトリクスを使用するが、実施形態以外の方法で周知の減色処理（例えば誤差拡散法）により減色処理を行うようにしてもよい。
【００４９】
上述した実施形態においては、分散媒と電気泳動粒子とを用いて画像の表示を行う構成となっているが、電気光学材料として液晶を用いる電気光学装置においても、表示する階調数を温度に応じて変更する構成としてもよい。なお、液晶を用いる場合、低温時には高温時より透過率が低下するため、低温時には表示する階調数を少なくし、高温時には表示する階調数を多くするように減色処理を行うようにしてもよい。
【符号の説明】
【００５０】
１…電気光学装置、２…制御部、３…ＶＲＡＭ、４…ＲＡＭ、５…コントローラー、６…温度センサー、９Ａ〜９Ｆ…ボタン、１０…表示部、１００…表示領域、１０１…第１基板、１０１ａ…基板、１０１ｂ…接着層、１０１ｃ…回路層、１０１ｄ…画素電極、１０２…電気泳動層、１０２ａ…マイクロカプセル、１０２ｂ…バインダー、１０３…第２基板、１０３ａ…フィルム、１０３ｂ…共通電極層、１１０…画素、１１０ａ…ＴＦＴ、１１０ｂ…表示素子、１１０ｃ…補助容量、１１２…走査線、１１４…データ線、５０１…画像取得部、５０２…パラメーター取得部、５０３…減色部、５０４…書き込み部、２０００…電子ブックリーダー、２００１…フレーム、Ａ…画像記憶領域、Ｂ…加工画像記憶領域、Ｃ…前画像記憶領域
【図１】
0005958003.tif 000002
【図２】
0005958003.tif 000003
【図３】
0005958003.tif 000004
【図４】
0005958003.tif 000005
【図５】
0005958003.tif 000006
【図６】
0005958003.tif 000007
【図７】
0005958003.tif 000008
【図８】
0005958003.tif 000009